(57)【要約】【課題】  各種の足場板上で階段枠下端を任意の位置まで移動して階段の傾斜角度を任意に設定できると共に、側桁下端の脚体が足場板に固定できる階段枠を提供する。【解決手段】  階段枠７の側桁８下端に設ける脚体１２は台座１４両側部の台座側板１５を側桁８に軸支する。台座１４の一辺には立上り部１９と固定金具２０を設け、ホルダ２１を回動可能に取り付ける。ホルダ２１に遊挿する係止棒体２２の直線端部には止金具２２ａを固着しコイルバネ２２ｂを巻装する。係止棒体２２の折曲部２２ｃを足場布板５のスリット５ｃの方向と合わせ、挿入しながら押し下げ、下方で折曲部２２ｃを回動する。コイルバネ２２ｂの作用により折曲部２２ｃは足場布板５下面に当接する。係止棒体２２を足場布板５に係止することで吹き上がり防止等の対策を採ることができ、地震等の外部負荷があっても階段枠７の下部は滑らない。【選択図】        図８
2010126874.tif 000002
【特許請求の範囲】
【請求項１】
一対の側桁間に複数の踏板を所定間隔で取り付け、前記側桁の上端に上部足場の横架材に掛止するフックを固着し、前記側桁の下端に足場板載置用の脚体を設ける仮設足場用階段枠において、前記脚体は、側桁間の一辺に立上り部を設け各側桁に軸支する台座と、この立上り部の略中央に配設する回動可能なホルダと、このホルダに遊挿する係止棒体とを備えることを特徴とする仮設足場用階段枠。
【請求項２】
前記台座は、所定範囲の階段傾斜角度に対応して固定し得る締結具を設け、前記係止棒体は、足場布板中央に開設するスリットより挿入し、布板下面に下端を係止する略Ｌ字状の棒体であって、係止時の棒体を上方に付勢する弾性体を付設することを特徴とする請求項１記載の仮設足場用階段枠。
【発明の詳細な説明】
【技術分野】
【０００１】
この発明は、建築工事現場等で構築する仮設足場の昇降用に用いる仮設足場用階段枠に関し、詳しくは上端に設けるフックを上段の足場横架材に掛止し、下端を下段に敷設する足場板上に載置する階段枠に関するものである。
【背景技術】
【０００２】
建築物等を構築する際には、その周囲に仮設足場を組み上げるが、各層に敷設する足場板に昇降するため多くの場合、仮設足場用の階段枠が使用されている。従来の階段枠は、一対の側桁間に複数の踏板を所定間隔で取り付け、側桁の上端と下端に夫々上部足場若しくは下部足場の横架材に掛止するためのフックを固着する構造であった。
【０００３】
ところが、このような階段枠では、掛止する横架材の距離が特定されてしまうため、例えば枠組足場の場合、一の階段枠が適用できる主枠高さ及びブレース長さが限定されてしまう。従って僅かな層間、枠距離が変化した場合でも階段枠の下端フックは下段の足場板上に載置しなければならなかった。
【０００４】
下端フックで階段枠を点支持することは危険であるため、側桁の下端に足場板載置用の脚体を設ける仮設足場用階段枠が提案されていた。このような階段枠としては、例えば下記に示すような従来技術があった。
【特許文献１】特開平１１−６２２１７号公報
【特許文献２】特開平２００２−３３９５６３号公報
【特許文献３】特開平２００４−５２４４５号公報
【０００５】
特許文献１に記載される階段枠は、図１１に示すように、側桁１０８の上端にフック１１１を固着すると共に下端にベース板１１４を配設していた。ベース板１１４には支持部材１１５が立設し、軸体１１６を介して各側桁１０８に回動自在に取り付けられていた。この階段枠１０７は、フック１１１を図示しない建枠の横架材に掛止し、ベース板１１４を地面あるいは下部の足場板に当接しながら水平になるよう支持部材１１５を回動させる構成であった。
【０００６】
又、特許文献２に記載される階段枠も図１２に示すよう同様に、上端にフック２１１を固着し下端に板体を折曲加工した脚部２１２を配設し、脚部２１２は踏板２０９の支持部材２０８，２１８に対して回動自在に取り付けられていた。
【０００７】
これら従来の階段枠は何れも下端のベース板１１４若しくは脚部２１２を足場板上で任意の位置まで移動して階段の傾斜角度を任意に設定できる構成であったが、ベース板１１４及び脚部２１２は単に水平に載置するだけの構造のため、風圧による吹き上がり、地震による振動等には抵抗できなかった。
【０００８】
一方、特許文献３に記載される階段枠は、図１３及び図１４に示すように上端にフック３１１を設け、側桁３０８の下部側面には回転自在な係止ピン３２２を横方向移動自在に取付け、この係止ピン３２２を足場布板３０５に形成した孔に着脱自在に差し込む構成であった。
【０００９】
この階段枠の場合、係止ピン３２２を足場布板３０５の孔に差し込むことにより側桁３０８の下部が固定でき、振動、風圧等の外部負荷があっても階段の下部は滑らず、安全であり、作業者の不安感を解消できる利点があった。又、係止ピン３２２は横方向の位置を変位できるので足場布板３０５に穿設された孔を選択して差し込むことができた。これにより側桁３０８の下部を足場布板３０５上に沿ってずらしながら固定でき、併せて階段の傾斜角を変化させることができた。
【発明の開示】
【発明が解決しようとする課題】
【００１０】
しかし、従来の階段枠は係止ピン３２２を孔に差し込む構成であったため、ピンの横移動範囲内に孔が無いと止めることはできなかった。又、適当な孔が穿設されていない足場布板では固定できなかった。
【００１１】
この発明は、従来の仮設足場用階段枠が有する上記の問題点を解消すべくなされたものであり、各種の足場板上で階段枠下端を任意の位置まで移動して階段の傾斜角度を任意に設定できると共に、側桁下端の脚体が足場板に固定できる階段枠を提供することを目的としている。
【課題を解決するための手段】
【００１２】
上記課題を解決するため、この発明の仮設足場用階段枠は、一対の側桁間に複数の踏板を所定間隔で取り付け、前記側桁の上端に上部足場の横架材に掛止するフックを固着し、前記側桁の下端に足場板載置用の脚体を設ける仮設足場用階段枠において、前記脚体は、側桁間の一辺に立上り部を設け各側桁に軸支する台座と、この立上り部の略中央に配設する回動可能なホルダと、このホルダに遊挿する係止棒体とを備えることを特徴とするものである。
【００１３】
台座は足場板上に設置するもので、仮設足場の異なる層間の高さに対応可能となるよう、台座側板と側桁との取付け角度が回動する。係止棒体はホルダを回動することで、足場板に水平又は垂直の位置関係がとれる。足場板に、棒体挿入用の開口が設けられているときにはこれを挿入して足場板に固定し、吹き上がり防止等の対策を採る。
【００１４】
又、足場板に開口がない場合には、足場板用バンドで台座と足場板を固定する。この時、立上り部に沿ってバンドを巻回するとバンドの外れ防止となる。係止棒体は足場板に対し水平の収納状態とする。
【００１５】
請求項２記載の仮設足場用階段枠の台座は、所定範囲の階段傾斜角度に対応して固定し得る締結具を設け、前記係止棒体は、足場布板中央に開設するスリットより挿入し、布板下面に下端を係止する略Ｌ字状の棒体であって、係止時の棒体を上方に付勢する弾性体を付設することを特徴とするものである。
【００１６】
締結具は、例えば台座側板に穿設する長孔に対し、回動用の軸体とは異なるボルトを挿通してこれを締結する構成である。所定の階段傾斜角に対応してボルトを長孔に沿って移動させ、台座の水平を確保しながら側桁と固定する。
【００１７】
足場布板は幅方向に矩形の踏面板を２枚並設し、その短辺を横方向の板材で連結するもので、２枚の踏面板の隣接部は所定間隔離隔して長手方向にスリットを開設する。係止棒体はホルダに遊挿されているためＬ字の折曲部をこのスリットの方向に回動することで足場布板の任意の箇所での挿入が可能となり、挿入後には折曲部をスリットに対し直角方向に回動する。
【００１８】
弾性体の作用により折曲部は布板下面に当接する。棒体の長さと弾性体の長さを適宜設定することで異なる厚さの布板に対しても適用可能となる。
【発明の効果】
【００１９】
この発明の仮設足場用階段枠は、脚体の台座の一辺に立上り部を設けるので係止棒体を足場板に挿入できない場合でも、足場板用バンドで台座と足場板を固定することができ、立上り部がバンドの外れ防止となる。即ち、係止棒体挿入用の開口部を設ける足場板に対しても、又開口部のない足場板に対しても夫々足場板上で任意の位置まで移動して階段の傾斜角度を任意に設定できると共に、側桁下端の脚体を足場板に固定することができる。
【００２０】
請求項２記載の仮設足場用階段枠の台座は、所定範囲の階段傾斜角度に対応して固定し得る締結具を設けるので、所定の階段傾斜角に対応して台座の側板を移動させ、台座の水平を確保しながら側桁と固定することができる。
【００２１】
又係止棒体は、略Ｌ字状の棒体で弾性体を付設するので、中央にスリットを開設する足場布板の場合には、任意の箇所での挿入が可能となり、挿入後には弾性体の作用により折曲部を布板下面に当接することができ階段枠と足場布板との固定が確実になる。
【発明を実施するための最良の形態】
【００２２】
次にこの発明の実施の形態を添付図面に基づき詳細に説明する。図１は階段枠を使用する仮設足場の側面図、図２は図１における階段枠と足場布板の係止部分を抜き出した側面図、図３は階段枠の側面図、図４は階段枠の正面図である。仮設足場１は、複数の建枠２とジャッキベース３、交差筋違４、足場布板５及び手摺６等の基本部材を組合わせ、これらを積上げて構築しているが、各層に敷設する足場布板５に昇降するため階段枠７を使用する。
【００２３】
階段枠７は、図４に示すように一対の側桁８間に複数の踏板９を所定間隔で取り付け、側桁８の上端にはフック１１を固着し、側桁８の下端には脚体１２を設ける。フック１１は上部足場の建枠２を構成する横架材１０に対して着脱自在に引掛けられ、脚体１２は足場布板５上に載置すると共に後述する係止具を用い、階段枠７の下端が動揺しないよう固定する。
【００２４】
脚体１２を足場布板５に載置するのは、仮設足場１の異なる層間の高さに対して一の階段枠７にて対応可能とするためであり、又、図１に示すように連続する階段に対し踊り場スペースを提示することで昇降時の安全性を高める効果もある。
【００２５】
建枠２の代表的な層間としては、例えば、ｈ0＝１７２５ｍｍ、１８００ｍｍ、１８３５ｍｍがある。ｈ0＝１８００ｍｍの時の階段傾斜角度をθ0＝５０°とする場合、ｈ0＝１７２５ｍｍの時には脚体１２を適宜スライドすればθ0＝約４７°となる。同様にｈ0＝１８３５ｍｍの時にはθ0＝約５１°となる。このように階段枠７は所定範囲の階段傾斜角度に対応して脚体１２を足場布板５に対して水平に載置し得る構成である。
【００２６】
踏板９は側桁８に対しボルトナット１３で締結されており、側桁８との取付角度は固定されている。この取付角度を例えばθ1＝５０°と設定する場合、階段傾斜角度θ0が上述のように約４７°から約５１°に変化しても、踏板９の水平面から傾く角度は３°から−１°程度と極微少であるため、昇降には支障ない。
【００２７】
次に脚体の詳細を図５及び図６に基づき説明する。図５は脚体を取り付ける階段枠下部の側面図、図６は図５のＡ方向矢視図である。脚体１２は、側桁８間に平板状の台座１４を配設し、その両側部に立設する台座側板１５を側桁８に軸支する。台座側板１５には、支持ボルト１６を挿通するボルト孔と、その下部に設ける固定ボルト１７を挿通する長孔１８が穿設されている。
【００２８】
固定ボルト１７のナットを緩めると台座側板１５は側桁８に対して長孔１８の範囲で回動可能となる。所定の階段傾斜角に対応して固定ボルト１７を長孔１８に沿って移動させ、台座１４の水平を確保しながら側桁８に固定する。
【００２９】
台座１４の一辺には低い立上り部１９を設け、この立上り部１９の略中央に板状の固定金具２０を固着すると共に、これに対して回動可能なホルダ２１を取り付ける。このホルダ２１は略Ｌ字状の係止棒体２２を遊挿する。係止棒体２２の直線端部には断面コ字状の止金具２２ａを固着し、この止金具２２ａとホルダ２１上端との間にコイルバネ２２ｂを巻装する。止金具２２ａを把持して棒体断面方向に回動することで、係止棒体２２の下端折曲部２２ｃの向きを変える。
【００３０】
次に係止棒体にて脚体を足場布板に係止する方法を図７、図８及び図９に基づき説明する。図７は足場布板に係止棒体を係止する階段枠下部の側面図、図８は図７のＢ方向矢視図、図９は図７のＣ−Ｃ断面を示す断面図である。
【００３１】
足場布板５は図９に示すように幅方向に矩形の踏面板５ａを２枚並設し、その短辺を横方向の板材５ｂで連結するもので、２枚の踏面板５ａ，５ａの隣接部は所定間隔離隔してあるため、長手方向にスリット５ｃが開設される。足場布板５の端部にはフック５ｄが突設し、これを建枠の横架材１０に掛止する。
【００３２】
板金の折り曲げ品となっている板材５ｂの上下面は、踏面板５ａに溶接で接合されており横架材１０を覆う構成となっている。これは従来の足場布板の場合、横架材接合部に隙間ができ、この隙間が飛来落下事故等につながる虞があったことに対し、板材５ｂでこれを未然に防止すると共に、踏み面の凹凸をなくし作業性を高めることを目的としたものである。
【００３３】
ところが、横架材接合部に隙間がないと階段枠を掛け渡すことができない。特に足場布板が連続して敷設されている階段枠の下部ではフックを横架材に掛止することができず、必然的に階段枠の下端は足場布板の上に載せる方式を採用することとなる。
【００３４】
このような足場布板５の場合、図５及び図６に示すように係止棒体２２の折曲部２２ｃをスリット５ｃの方向と合わせることで足場布板５の任意の箇所での挿入が可能となる。その後、コイルバネ２２ｂの弾性力に抗して止金具２２ａを押し下げ、下方で折曲部２２ｃをスリット５ｃに対し直角方向に回動する。図７及び図８に示すようにコイルバネ２２ｂの作用により折曲部２２ｃは布板５下面に当接する。
【００３５】
このように係止棒体２２を足場布板５に係止することで吹き上がり防止等の対策を採ることができ、地震等の外部負荷があっても階段の下部は滑らない。又係止棒体２２の長さとコイルバネ２２ｂの長さを適宜設定することで異なる厚さの布板、例えば厚さ４０ｍｍから５０ｍｍの足場布板に対しても適用可能となる。
【００３６】
なお、係止棒体は中央にスリットを開設する足場布板以外の時は、これを収納状態にして用いる。この実施形態を図１０に示す。図１０はスリットを開設しない足場布板上に載置する階段枠下部の正面図である。
【００３７】
係止棒体２２を使用しない時には、ホルダ２１を回動することで、足場布板５５に水平の位置関係がとれ、足場板用バンド５６を用い台座１４と足場板５５を固定する。この時、立上り部１９に沿ってバンド５６を巻回するとバンドの外れ防止となる。
【図面の簡単な説明】
【００３８】
【図１】階段枠を使用する仮設足場の側面図である。
【図２】図１における階段枠と足場布板の係止部分を抜き出した側面図である。
【図３】階段枠の側面図である。
【図４】階段枠の正面図である。
【図５】脚体を取り付ける階段枠下部の側面図である。
【図６】図５のＡ方向矢視図である。
【図７】足場布板に係止棒体を係止する階段枠下部の側面図である。
【図８】図７のＢ方向矢視図である。
【図９】図７のＣ−Ｃ断面を示す断面図である。
【図１０】スリットを開設しない足場布板上に載置する階段枠下部の正面図である。
【図１１】従来の階段枠の側面図である。
【図１２】従来の階段枠の斜視図である。
【図１３】従来の階段枠の側面図である。
【図１４】従来の階段枠の正面図である。
【符号の説明】
【００３９】
５  足場布板
５ｃ  スリット
７  階段枠
８  側桁
９  踏板
１０  横架材
１１  フック
１２  脚体
１４  台座
１５  台座側板
１６  支持ボルト
１７  固定ボルト
１８  長孔
１９  立上り部
２０  固定金具
２１  ホルダ
２２  係止棒体
２２ａ  止金具
２２ｂ  コイルバネ
２２ｃ  折曲部
【図１】
2010126874.tif 000003
【図２】
2010126874.tif 000004
【図３】
2010126874.tif 000005
【図４】
2010126874.tif 000006
【図５】
2010126874.tif 000007
【図６】
2010126874.tif 000008
【図７】
2010126874.tif 000009
【図８】
2010126874.tif 000010
【図９】
2010126874.tif 000011
【図１０】
2010126874.tif 000012
【図１１】
2010126874.tif 000013
【図１２】
2010126874.tif 000014
【図１３】
2010126874.tif 000015
【図１４】
2010126874.tif 000016